(57)【要約】【課題】ヘッドが首振り可能なレンチにおいて、首振り角度の安定保持と、首振り角度の変更操作性の向上。【解決する手段】転係合部材２を具えたヘッド１の基端部を、ハンドル４の二股先端部４１に嵌め、該回転係合部材２を回転させる方向と直交する方向に揺動可能に取り付けた首振りレンチにおいて、ヘッド１の基端には、該ヘッドの回転中心を曲率中心とする円弧上に略等間隔に凹み部３が設けられ、ヘッド基端とハンドル４の二股の奥との間に操作部材５がハンドル４の長手方向にスライド可能に配備され、該操作部材５はバネ６にてヘッド側に付勢され、ヘッド側の面にはヘッド１の凹み部３に選択的に係合可能な凸部５１が形成され、ハンドル４の長手方向と直交する方向の操作部材５の両端には、ハンドル４の外面に摺接し、指掛かり及び抜止めを兼用するスライド案内片５３が突設されている。【選択図】  図２
2004276191.tif 000002
【特許請求の範囲】
【請求項１】
回転係合部材（２）を具えたヘッド（１）の基端部を、ハンドル（４）の先端部に、該回転係合部材（２）を回転させる方向と直交する方向に首振り可能に取り付け、ロック手段（７）によってハンドル（４）に対するヘッド（１）の首振り角度をロックできる首振りレンチにおいて、
ロック手段（７）は、ヘッド（１）の基端部に該ヘッドの回転中心を曲率中心とする円弧上に略等間隔に設けられた複数の凹み部（３）と、
ヘッド基端部とハンドル（４）先端部との間に、ハンドル（４）の長手方向にスライド可能に配備され、前記ヘッド（１）の複数の凹み部（３）に選択に嵌まる凸部（５１）を具えた操作部材（５）と、
ハンドル（４）の先端部に配備され操作部材（５）をヘッド（１）側に付勢するバネ（６）とによって構成され、
ハンドル（４）の長手方向と直交する方向の操作部材（５）の両端には、ハンドル（４）の外面に摺接し、指掛かり及び抜止めを兼用するスライド案内片（５３）が突設されている首振りレンチ。
【請求項２】
凸部（５１）は操作部材（５）と一体に形成され、ヘッド（１）の首振り方向と直交する方向に伸びる突条を呈し、ヘッド（１）の凹み部（３）は、該凸部（５１）に対応して溝条を呈している請求項１に記載の首振りレンチ。
【発明の詳細な説明】
【０００１】
【発明の属する分野】
本発明は、ボルト・ナットを回転させるための回転係合部材を具えたヘッドを、ハンドル先端に揺動可能に取り付けた首振りレンチに関するものである。
【０００２】
【従来の技術及び発明が解決しようとする課題】
図１０乃至図１２は、斯種レンチの従来例を示しており、何れも回転係合部材（２）を具えたヘッド（１）の基端部を、ハンドル（４）の二股先端部（４１）に、該回転係合部材（２）を回転させる方向と直交する方向に首振り可能に取り付けている。又、ハンドル（４）に対するヘッド（１）の傾き角度を保持するロック手段（７）を具えている。
何れのロック手段（７）も、ヘッド（１）の基端に該ヘッドの回転中心を曲率中心とする円弧面上に略等間隔に複数の凹み部（３）を形成し、ハンドル（４）の先端部に配備したボール、又は先端が球面のピン等の球面部材（８）を、任意の凹み部（３）に係合させる構成である。
【０００３】
図１０のレンチの場合、ハンドル（４）の先端部に穴（１４）を開設し、該穴（１４）に球面部材（８）及び該球面部材（１４）を外側へ付勢するバネ（６）を配備している。
図１０の場合、球面部材（８）と穴（１４）の係合力が弱いので、精々ヘッド（１）の角度を変える際に、クリック感が得られる程度であり、ヘッド（１）の首振り角度を固定することは出来ず、締め付け操作の際、ハンドル（４）がぐらついて使用し難い。
【０００４】
図１１のレンチの場合、ハンドル（４）の先端側に、ハンドルの長手方向に直交して操作軸（９）をスライド可能に貫通配備し、ハンドル（４）の先端側壁（４４）を貫通して配備した球面部材（８）を該軸（９）で押し出してヘッド（１）の凹み部（３）に係合させる。
バネ（６）に抗して操作軸（９）を押し込むと、該軸（９）に開設した逃し切欠（９１）が球面部材（８）を受け入れて、ヘッド（１）のロックを解除できる。
図１１の場合、操作軸（９）を付勢するバネ（６）をハンドル（４）の外側に配備している関係上、ハンドル（４）からの操作軸（９）の突出長さが大きくなる。
首振り式レンチは、通常のレンチでは使用に支障のある狭隘な場所で使用されことが多く、操作軸（９）の突出長さが大きいと、ハンドル（４）の回転操作に支障が生じることがある。
又、ハンドル（４）からの操作軸（９）の大きな出っ張りと、露出したバネ（６）がデザイン上でも大きなマイナス要素となっている。
【０００５】
図１２のレンチの場合、図１１と同様にしてハンドル（４）の先端側に、ハンドルの長手方向と直交して操作軸（９）をスライド可能に配備している。
操作軸（９）は中央部に、押圧軸部（９２）と逃がし軸部（９３）を隣り合わせに設けており、両軸部（９２）（９３）とも、操作軸（９）の両端部よりも細く、逃がし軸部（９３）は押圧軸部（９２）よりも細い。
ハンドル（４）には、操作軸（９）を挟んで２つのボール（８１）（８２）を対向配備し、一方のボールを、ハンドル（４）の先端側壁（４４）を貫通してヘッド側に出没可能に臨出させ、他方のボール（８２）は、バネ（６）によって操作軸（９）側に付勢する。
操作軸（９）の上から下への押し込みによって、押圧軸部（９２）がヘッド側のボール（８１）を押し出し、ヘッド（１）の凹み部（３）に係合されてヘッド（１）をロックする。
バネ（６）によって他方のボール（８２）が操作軸（９）を押圧して、操作軸（９）を保持する。
図１２に示す如く、ヘッド（１）のロック状態から、操作軸（９）を下から上に押し込むと、該軸（９）の逃し軸部（９３）側へボール（８１）を逃がして、ヘッド（１）に対するロックを解除できる。
図１２のレンチは、部品点数が増え、加工箇所も多いので、コスト高を招来する。
又、ロックとロック解除では、操作軸（９）の押し込み方向が反対であり、操作性が悪い。
更に、操作軸（９）の位置を保持するために付勢力の強いバネ（６）が必要であり、操作軸（９）の押し込み操作は、軽くはない。
【０００６】
更に、図１０、図１１、図１２の何れの場合でも、ロック手段にボールや先端が球面のピン等の球面部材（８）を用いており、該球面部材（８）は相手部材に点接触となること、ヘッドのロック状態で、ヘッド（１）に首振り外力が作用すれば、球面部材（８）を介して球面部材収容穴を大きくする力が働く等により、ガタが生じ易く、耐久性にも問題がある。
更に、小さくて転がり易い球面部材を組み込むのは、慎重な作業を要す上に手間が掛かり、組立作業性が悪い。
【０００７】
本発明は、上記問題を一挙に解決できる首振りレンチを明らかにするものである。
【０００８】
【課題を解決する手段】
本発明は、回転係合部材（２）を具えたヘッド（１）の基端部を、ハンドル（４）の先端部に、該回転係合部材（２）を回転させる方向と直交する方向に首振り可能に取り付け、ロック手段（７）によってハンドル（４）に対するヘッド（１）の首振り角度をロックできる首振りレンチにおいて、
ロック手段（７）は、ヘッド（１）の基端部に該ヘッドの回転中心を曲率中心とする円弧上に略等間隔に設けられた複数の凹み部（３）と、
ヘッド基端部とハンドル（４）先端部との間に、ハンドル（４）の長手方向にスライド可能に配備され、前記ヘッド（１）の複数の凹み部（３）に選択に嵌まる凸部（５１）を具えた操作部材（５）と、
ハンドル（４）の先端部に配備され操作部材（５）をヘッド（１）側に付勢するバネ（６）とによって構成され、
ハンドル（４）の長手方向と直交する方向の操作部材（５）の両端には、ハンドル（４）の外面に摺接し、指掛かり及び抜止めを兼用するスライド案内片（５３）が突設されている。
【０００９】
【作用及び効果】
操作部材（５）の凸部（５１）が、ヘッド（１）の凹み部（３）に嵌まって、ヘッド（１）がロックされる。この状態から、操作部材（５）をバネ（６）に抗してヘッド（１）から離れる方にスライド操作する。凸部（５１）が凹み部（３）から脱出して、ヘッド（１）のロックが解除される。
手指で操作部材（５）を保持したまま、ハンドル（４）に対するヘッド（１）の角度を変更し、操作部材（５）の保持を開放する。操作部材（５）はバネ（６）によってヘッド（１）側へ付勢され、凸部（５１）が凹み部（３）に嵌まってヘッド（１）をロックする。
【００１０】
凹み部（３）に嵌まるのは、従来の様にボール等の球面部材ではなく、操作部材（５）上の凸部（５１）であり、該凸部（５１）は操作部材（５）に一体に形成することが出来、ボールを組み込む様な、慎重な作業と手間から開放される。
操作部材（５）両端のスライド案内片（５３）（５３）がハンドル（４）の外面に摺接しているため、操作部材（５）をスライド操作する際、操作部材（５）が傾いてスライドし難くなることを防止できる。
更に、スライド案内片（５３）のスライド操作に際し、第１指と第２指を、両スライド案内片（５３）（５３）に押し当ててスライド操作すれば、一層円滑にスライド操作出来、操作性が向上する。
又、スライド案内片（５３）（５３）の存在によって、ハンドル（４）からヘッド（１）を外さない限り、操作部材（５）が脱落することはない。
更に、操作部材（５）の両端に形成するスライド案内片（５３）（５３）は、手指が引っ掛かる大きさ、操作部材（５）をスライド案内できる強度があれば可く、薄く形成できる。このため、ハンドル（４）からのスライド案内片（５３）（５３）の出っ張りは小さくて済み、ハンドル（４）の締め付け操作に、スライド案内片（５３）（５３）が邪魔になることを防止できる。
又、両スライド案内片（５３）（５３）を薄く、互いに対象形状に形成できるため、デザイン的にも、シンプルで優れたものとなる。
【００１１】
【発明の実施の形態】
図１、図２は、本発明を実施したラチェットレンチを示している。
ラチェットレンチは、バー状のハンドル（４）と、該ハンドル（４）の先端に首振り可能に取り付けられたヘッド（１）とによって形成される。
ハンドル（４）の先端は二股に形成されている。
【００１２】
ヘッド（１）は略楕円状の扁平体に形成され、一方の面に、四角軸状の回転係合部材（２）を突出させており、他方の面に、締付け方向切替用の切替レバー（１１）が配備されている。
ヘッド（１）の基端側は、回転係合部材（２）と直交する方向に延びる扁平嵌まり部（１２）となっており、該嵌まり部（１２）を、前記ハンドル（４）の二股先端部（４１）に嵌め、枢軸（１３）によってハンドル（４）に回転可能に支持される。
ヘッド（１）はハンドル（４）の締め付け回転方向と直交する方向に揺動可能である。
【００１３】
ヘッド（１）の嵌まり部（１２）には、ヘッドの回転中心を曲率中心とする円弧面上に略等間隔に凹み部（３）が設けられている。
実施例の凹み部（３）は、前記回転係合部材（２）の軸心と直交する方向に伸びる溝条である。
【００１４】
ヘッド（１）の嵌まり部（１２）とハンドル（４）の二股先端部（４１）の奥との間に、操作部材（５）がハンドル（４）の長手方向にスライド可能に配備される。
操作部材（５）とハンドル（４）の二股先端部（４１）の奥の間に、バネ（６）が介装され、該バネ（６）によって操作部材（５）は常時ヘッド（１）側へ付勢される。
バネ（６）はその両端が、操作部材（５）とハンドル（４）の二股先端部（４１）の対向位置に開設した穴（４３）（５２）に嵌まって支持されている。
操作部材（５）のヘッド（１）側の面には、前記ヘッド（１）の複数の凹み部（３）の内、１つの凹み部（３）に選択的に係合可能な凸部（５１）が操作部材（５）と一体に突設されている。
凸部（５１）は、溝条凹み部（３）に対応して突条に形成されている。
【００１５】
操作部材（５）の、ハンドル（４）の長手方向と直交する方向の両端に、スライド案内片（５３）（５３）が突設されている。
スライド案内片（５３）（５３）は、ハンドル（４）に切削加工された平行平坦面（４２）（４２）に摺接する大きさに形成され、二股先端部（４１）からの抜止め及び操作部材（５）をスライドさせるための指掛かりを兼用している。
スライド案内片（５３）には指掛かり用の膨らみや、凹凸が形成されている。
操作部材（５）は、バネ穴（５２）を中心として回転対称に形成されており、天地の区別はない。
【００１６】
上記ヘッド（１）の複数の凹み部（３）、凸部（５１）を具えた操作部材（５）及び該操作部（５）を付勢するバネ（６）によって、ヘッド（１）に対するロック手段（７）を構成している。
【００１７】
然して、図２示す様に、操作部材（５）の凸部（５１）が、ヘッド（１）の凹み部（３）に嵌まって、ヘッド（１）がロックされる。
上記ヘッドの角度を変えるには、操作部材（５）をバネ（６）に抗してヘッド（１）から離れる方にスライド操作する。凸部（５１）が凹み部（３）から脱出して、ヘッド（１）のロックが解除される。
手指で操作部材（５）を保持したまま、ハンドル（４）に対するヘッド（１）の角度を変更し、操作部材（５）の保持を開放する。操作部材（５）はバネ（６）によってヘッド（１）側へ付勢され、凸部（５１）が凹み部（３）に嵌まってヘッド（１）をロックする。
【００１８】
凸部（５１）と凹み部（３）は、互いに噛み合う突条と溝条に形成されているため、線接触、或いは面接触となり、ボールの様な点接触ではないので、互いの当接部分の損耗は少なく、耐久性を向上できる。
【００１９】
更に、凹み部（３）に嵌まるのは、ボールではなく、操作部材（５）に形成された凸部（５１）であり、ハンドル（４）の二股先端部（４１）にヘッド（１）を取り付ける前に、バネ（６）付きの操作部材（５）を該二股先端部（４１）に嵌めるだけ済み、ボールを組み込む様な、慎重な作業と手間から開放される。
操作部材（５）は天地の区別がないので、組立も楽である。
【００２０】
操作部材（５）両端のスライド案内片（５３）（５３）が、ハンドル（４）の平行平坦面（４２）（４２）に摺接しているため、操作部材（５）のスライド操作の際に、操作部材（５）が傾いてスライドし難くなることはない。
又、第１指と第２指を、両スライド案内片（５３）（５３）に押し当てて、スライド操作すれば、一層円滑にスライド操作出来、操作性が向上する。
又、スライド案内片（５３）は、抜け止めを兼用しており、ハンドル（４）からヘッド（１）を外さない限り、操作部材（５）が脱落することはない。
【００２１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】ラチェットレンチの平面図である。
【図２】ハンドルを断面で表したラチェットレンチの正面図である。
【図３】ヘッドの平面図である。
【図４】ヘッドの正面図である。
【図５】ハンドルの平面図である。
【図６】ハンドルの断面図である。
【図７】操作部材の斜面図である。
【図８】操作部材の断面図である。
【図９】操作部材の平面図である。
【図１０】従来例１の要部を断面で表した図。
【図１１】従来例２の要部を断面で表した図。
【図１２】従来例３の要部を断面で表した図。
【符号の説明】
（１）    ヘッド
（２）    回転係合部材
（３）    凹み部
（４）    ハンドル
（４１）  二股先端部
（５）    操作部材
（６）    バネ
【図１】
2004276191.tif 000003
【図２】
2004276191.tif 000004
【図３】
2004276191.tif 000005
【図４】
2004276191.tif 000006
【図５】
2004276191.tif 000007
【図６】
2004276191.tif 000008
【図７】
2004276191.tif 000009
【図８】
2004276191.tif 000010
【図９】
2004276191.tif 000011
【図１０】
2004276191.tif 000012
【図１１】
2004276191.tif 000013
【図１２】
2004276191.tif 000014